(57)【要約】  この発明に係る室内機は、機器を収納し、設置されたときに下面となる側が開口する筐体と、筐体の開口部分側に取り付けられる化粧パネルと、筐体側から延びる本体側電気ケーブルと化粧パネル側から延びるパネル側電気ケーブルとを接続したケーブル接続部と、ケーブル接続部を収納する収納ケースと、収納ケースの開口部分を閉じる蓋とで、ケーブル接続部の全面を覆い、筐体の下面側に設置される収納体とを備える。
2017002237.tif 000002
【特許請求の範囲】
【請求項１】
機器を収納し、設置されたときに下面となる側が開口する筐体である本体ユニットと、
該本体ユニットの開口部分側に取り付けられる化粧パネルと、
前記本体ユニット側から延びる本体側電気ケーブルと前記化粧パネル側から延びるパネル側電気ケーブルとを接続したケーブル接続部と、
該ケーブル接続部を収納する収納ケースと、該収納ケースの開口部分を閉じる蓋とで、前記ケーブル接続部の全面を覆い、前記本体ユニットの下面側に設置される収納体と
を備える室内機。
【請求項２】
前記収納ケースは、前記蓋を引っ掛ける引っ掛け部を有する請求項１に記載の室内機。
【請求項３】
前記蓋は、前記収納ケースの開口部分を閉じるときに、前記本体ユニットにネジで固定される請求項２に記載の室内機。
【請求項４】
前記蓋をスライド移動させると、前記蓋から前記ネジの頭が外れて前記蓋を開けることが可能なように、前記蓋が有するネジ穴に切り欠きを有する請求項３に記載の室内機。
【請求項５】
前記収納ケースは、前記本体側電気ケーブルおよび前記パネル側電気ケーブルを引っ掛ける爪を有する請求項２〜請求項４のいずれか一項に記載の室内機。
【請求項６】
前記収納体は、難燃性の材質である請求項１〜請求項５のいずれか一項に記載の室内機。
【請求項７】
前記収納体は、前記化粧パネル側から前記本体ユニット内に流入する空気の温度を検出する温度検出装置をさらに収納し、空気を通過させる通気孔を有する請求項１〜請求項６のいずれか一項に記載の室内機。
【請求項８】
請求項１〜請求項７のいずれか一項に記載の室内機と、
該室内機側に熱供給を行う室外機と
を備える空気調和装置。
【発明の詳細な説明】
【技術分野】
【０００１】
この発明は、たとえば空気調和装置などが有する室内機などに係るものである。特に室内機における電気ケーブルの接続などに関するものである。
【背景技術】
【０００２】
空気調和装置などが有する室内機において、たとえば天井カセット形の室内機は、天井裏の空間に吊り下げた室内機の本体ユニットに対して、下面（室内に向いている面）を覆う化粧パネルを取り付ける構造となっている。化粧パネルは、空調対象空間となる室内に空気を送り込む吹き出し口を有している。各吹き出し口には、風向きを変更する風向偏向板となるベーン（フラップ）が設置される。各ベーンは、化粧パネルに取り付けられたモータの駆動により軸を中心に回転移動する。また、化粧パネルには、室内の状況を検出する赤外線センサーなどの検出装置を設置していることもある。そして、ベーンを駆動させるモータ、検出装置などを動作などさせるため、室内機の本体側から化粧パネルに設置された機器に対して電力供給、信号通信などを行う。そこで、たとえば本体ユニットと化粧パネルとの間を電気ケーブルで接続する。【０００３】
電気ケーブルの接続に係る作業は、たとえば化粧パネルを取り付ける際に行う。化粧パネルから引き出されたパネル側電気ケーブルと室内機の本体が有する電気品箱（制御基板など）から引き出された本体側電気ケーブルとを接続する。そして、各ケーブルを接続した部分（接続部）は、たとえばガラスチューブを被せてバンド締めする。ガラスチューブは、接続部に指などが直接接触しないようにするものである。また、接続部への塵芥侵入などを防ぐものである。【０００４】
また、コネクタボックスを化粧パネルに固定し、室内機本体のドレンパンの底部、ベルマウスの底部およびコネクタボックスにより接続部を覆うようにしたものもある（たとえば、特許文献１参照）。
【先行技術文献】
【特許文献】
【０００５】
【特許文献１】特開２００８−０６４３９４号公報
【発明の概要】
【発明が解決しようとする課題】
【０００６】
しかしながら、上述したような電気ケーブルの接続に係る作業は、ガラスチューブの取り付けなどの作業を行うことで、工程数が多くなる。そのため、時間、手間などがかかっていた。【０００７】
また、特許文献１のようにコネクタボックスを用いて接続部分を覆う場合でも、作業時にコネクタボックスなどの部品を取り外してしまう必要がある。このため、部品を紛失する可能性があるなど、不便なことがある。【０００８】
この発明は、上記のような課題を解決するためになされたもので、電気ケーブルの接続に係る作業工程を少なくして、容易に作業を行うことができる室内機などを得ることを目的とする。
【課題を解決するための手段】
【０００９】
この発明に係る室内機は、機器を収納し、設置されたときに下面となる側が開口する筐体である本体ユニットと、本体ユニットの開口部分側に取り付けられる化粧パネルと、本体ユニット側から延びる本体側電気ケーブルと化粧パネル側から延びるパネル側電気ケーブルとを接続したケーブル接続部と、ケーブル接続部を収納する収納ケースと、収納ケースの開口部分を閉じる蓋とで、ケーブル接続部の全面を覆い、本体ユニットの下面側に設置される収納体とを備えるものである。
【発明の効果】
【００１０】
この発明によれば、ケーブル接続部の全面を収納する収納体を、本体ユニットの下面側に設置するようにしたので、電気ケーブルの接続作業の工程を少なくすることができ、施工を容易に行うことができる。このとき、収納体がケーブル接続部の全面を覆うことで、ケーブル接続部が指などに直接触れないようにすることができ、また、塵芥などの付着を防ぐことでケーブル接続部の保護をはかることができる。
【図面の簡単な説明】
【００１１】
【図１】この発明の実施の形態１に係る室内機１００の設置状態を説明する図である。
【図２】この発明の実施の形態１に係る室内機１００の構成を説明する図である。
【図３】この発明の実施の形態１に係る化粧パネル１３０の角部分の一例を示す図である。
【図４】この発明の実施の形態１に係るパネル側電気ケーブル１９０を説明する図である。
【図５】この発明の実施の形態１に係る本体側電気ケーブル１９１を説明する図である。
【図６】この発明の実施の形態１に係る収納体１８０の設置位置を説明する図である。
【図７】この発明の実施の形態１に係る収納体１８０の蓋１８２を開いた図である。
【図８】この発明の実施の形態１に係る蓋１８２を開けた収納体１８０の部分を拡大した図である。
【図９】この発明の実施の形態１に係る蓋１８２を閉じた収納体１８０の部分を拡大した図である。
【図１０】この発明の実施の形態１に係る蓋１８２を開ける手順を示す図である。
【図１１】この発明の実施の形態３に係る空気調和装置の構成例を表す図である。
【発明を実施するための形態】
【００１２】
以下、この発明を実施するための形態について、図面を参照して説明する。ここで、参照符号について、以下の図面において、同一の符号を付したものは、同一またはこれに相当するものであり、このことは、明細書の全文において共通することである。そして、明細書全文に表されている構成要素の形態は、あくまでも例示であって、明細書に記載された形態に限定するものではない。特に構成要素の組み合わせは、各実施の形態における組み合わせのみに限定するものではなく、他の実施の形態に記載した構成要素を別の実施の形態に適用することができる。さらに、図における上方を「上側」とし、下方を「下側」として説明する。そして、図面では各構成部材の大きさの関係が実際のものとは異なる場合がある。
【００１３】
実施の形態１．
図１はこの発明の実施の形態１に係る室内機１００の設置状態を説明する図である。本実施の形態では、室内の天井に埋め込むことができる天井埋め込み型で、四方向に吹き出し口１３２を有する四方向カセット型の室内機１００について説明する。ここで、本実施の形態における室内機１００は遠心送風機（遠心ファン）を搭載しているものとする。室内機１００は、冷媒配管により室外機と接続し、冷媒を循環して冷凍、空気調和などを行う冷媒回路を構成する。
【００１４】
室内機１００は、空気循環などを行う機器を内蔵する筐体（本体ユニット）１２０を有している。筐体１２０は、天板と側板とを有しており、室内に面する側（下方側）が開口している。そして、筐体１２０の開口部分には、平面視で略四角形状の化粧パネル１３０が取り付けられる。化粧パネル１３０は、空調などの対象空間となる室内側（下方側）に面している。化粧パネル１３０の中央付近には、室内機１００内への空気（気体）の吸い込み口となるグリル１３１を有している。グリル１３１通過後の空気はフィルタ（図示せず）により除塵する。
【００１５】
図２はこの発明の実施の形態１に係る室内機１００の構成を説明する図である。図２では化粧パネル１３０を取り外している。ここでは筐体１２０内の構成について説明する。図２に示すように、室内機１００の空気流入側において、ファン（羽根車）となるターボファン（遠心ファン）１７０の上流側には、ベルマウス１６０が設置されている。ベルマウス１６０は、グリル１３１から流入した空気を整流してターボファン１７０に送る。
【００１６】
たとえばフィンチューブ型の室内熱交換器１１０は、空気の流れにおいてターボファン１７０の下流側に、ターボファン１７０を囲むように設置している。たとえば空気調和装置に、本実施の形態の室内機１００を適用する際、室内熱交換器１１０は、冷房運転時には蒸発器として機能し、暖房運転時には凝縮器として機能する。
【００１７】
ドレンパン１４０は室内熱交換器１１０などが設置された本体内側に溝を有している。室内熱交換器１１０から発生したドレン水を捕集する。ドレンパン１４０は、たとえば発泡スチロールなどの合成樹脂を材料として用いて成型される。ドレンパン１４０には、室内機１００の下面中央部となる位置に、周囲にベルマウス１６０が取り付けられ、グリル１３１から流入した空気が通過する本体空気吸い込み口１２３となる貫通穴が形成される。また、室内熱交換器１１０から流出した空気を通過させて吹き出し口１３２に送る本体吹き出し口１２４となる貫通穴が形成される。グリル１３１、ベルマウス１６０（本体空気吸い込み口１２３）、本体吹き出し口１２４および吹き出し口１３２が連通し、室内機１００内の風路を形成している。
【００１８】
また、図１において、化粧パネル１３０の４つの各辺には、空気の吹き出し口１３２が、化粧パネル１３０の各辺に沿って形成されている。各吹き出し口１３２には、風向きを変更する風向偏向板となる吹き出しベーン（フラップ）１５０を有している。各吹き出しベーン１５０は、ベーン用回転モータ１５１を駆動することにより軸を中心に回転移動することで位置（方向）が制御される。また、電気品箱１０１は、制御装置などを収納する箱である。電気品箱１０１内の装置は、室内機１００の機器に電力供給および信号の送受信（通信）を行う。電気品箱１０１は、筐体１２０の外面側に取り付けられる。
【００１９】
図３はこの発明の実施の形態１に係る化粧パネル１３０の角部分の一例を示す図である。吹き出しベーン１５０を回転移動させるベーン用回転モータ１５１は、筐体１２０の外面側に取り付けられた電気品箱１０１と電気ケーブルで電気的に接続される。そして、ベーン用回転モータ１５１は、電気品箱１０１から電気ケーブルを介して送られた電力および信号に基づいて駆動する。本実施の形態では、ベーン用回転モータ１５１は、化粧パネル１３０の対向する２箇所の角部分に収納される。
【００２０】
また、ベーン用回転モータ１５１が収納された化粧パネル１３０の角部分には、たとえば検出装置（センサー）が設けられる。ここでは、少なくとも人の有無などを感知する赤外線センサー１５２が設置されているものとする。赤外線センサー１５２は、電力供給、検出に係る信号の送信などを行うため、電気品箱１０１と電気ケーブルで電気的に接続される。
【００２１】
図４はこの発明の実施の形態１に係るパネル側電気ケーブル１９０を説明する図である。また、図５はこの発明の実施の形態１に係る本体側電気ケーブル１９１を説明する図である。電気品箱１０１と化粧パネル１３０の機器とを電気的に接続する電気ケーブルは、化粧パネル１３０から延びるパネル側電気ケーブル１９０と本体（電気品箱１０１）から引き出されて延びる本体側電気ケーブル１９１とを接続する。ここで、パネル側電気ケーブル１９０は、前述したように、ベーン用回転モータ１５１との間で電力供給、通信などを行う電気ケーブルと、赤外線センサー１５２との間で電力供給、通信などを行う電気ケーブルとを含むものとする。また、図４に示すように、本実施の形態の室内機１００では、ベーン用回転モータ１５１などが化粧パネル１３０の２箇所の角部分に収納されているので、パネル側電気ケーブル１９０は、化粧パネル１３０の２箇所から延びている。そして、以下、パネル側電気ケーブル１９０と本体側電気ケーブル１９１とを区別する必要がないときには、電気ケーブルとして説明する。
【００２２】
また、図５に示すように、電気品箱１０１から延びた本体側電気ケーブル１９１は、電気品箱１０１に近い角部分からドレンパン１４０の下面側（ドレン水を溜める溝が形成された面とは反対の面）を通過し、筐体１２０の中心方向に向けて、流入する空気の邪魔にならないように延びている。図５では、ドレンパン１４０の下面を通過する本体側電気ケーブル１９１を露出させているが、実際には板などで覆っている。
【００２３】
パネル側電気ケーブル１９０および本体側電気ケーブル１９１は、互いの接続部分にそれぞれパネル側接続端子１９２および本体側接続端子１９３を有している。このため、パネル側電気ケーブル１９０と本体側電気ケーブル１９１とを容易に結線することができる（以下、後述する図８などにおいて示すように、パネル側接続端子１９２および本体側接続端子１９３で接続された部分をケーブル接続部１９４とする）。
【００２４】
図６はこの発明の実施の形態１に係る収納体１８０の設置位置を説明する図である。また、図７はこの発明の実施の形態１に係る収納体１８０の蓋１８２を開いた図である。本実施の形態の室内機１００は、ケーブル接続部１９４を収納する収納体１８０を筐体１２０側に有している。収納体１８０は、図５などにも示すように、たとえばドレンパン１４０（ベルマウス１６０）の下面側に設置される。したがって、吸い込み口のグリル１３１などを取り外すと、収納体１８０を室内側から目視して作業などを行うことができる。また、収納体１８０が筐体１２０側に設置されていることで、化粧パネル１３０を取り外さなくても作業を行うことができる。本実施の形態の収納体１８０は、後述するように、吸い込みセンサー１９５を収納するため、吸い込みセンサー１９５がベルマウス１６０の空気流入口（本体空気吸い込み口１２３）の近傍となり、筐体１２０内に流入する空気の温度を検出できるように設置する。
【００２５】
本実施の形態の収納体１８０は、収納ケース１８１と、収納ケース１８１の開口部分を覆う蓋１８２とを有している。本実施の形態の収納ケース１８１および蓋１８２は難燃性の樹脂を材料としている。発泡性樹脂を材料とするドレンパン１４０は熱に弱い。そこで、たとえばケーブル接続部１９４がドレンパン１４０に接触しないように難燃性の樹脂でケーブル接続部１９４を覆う。収納体１８０を難燃性の樹脂を材料とすることで、万が一ケーブル接続部１９４において発火などしても、他の箇所への延焼を防ぐことができる。また、収納ケース１８１と蓋１８２とが、ケーブル接続部１９４の全面を覆うようにすることで、指が触れてしまうというようなことを防ぐことができる。
【００２６】
図８はこの発明の実施の形態１に係る蓋１８２を開けた収納体１８０の部分を拡大した図である。また、図９はこの発明の実施の形態１に係る蓋１８２を閉じた収納体１８０の部分を拡大した図である。収納ケース１８１は、ドレンパン１４０の下面側に形成した凹み部分に、開口部分を下面側に向けて収められる。収納ケース１８１は、電気ケーブル収納口１８３を有している。パネル側電気ケーブル１９０と本体側電気ケーブル１９１とは、電気ケーブル収納口１８３を通され、互いの接続部分が収納ケース１８１内部に収納される。収納ケース１８１の容積は、放熱などの観点からは多い方がよい。ただ、収納ケース１８１は、ドレンパン１４０の下面側に形成した凹み部分に収容することから、ドレンパン１４０の本体内側の溝の深さに影響しないようにする必要がある。
【００２７】
電気ケーブル収納口１８３には、各電気ケーブルを係止する爪１８４を有する。爪１８４で係止することで、パネル側電気ケーブル１９０および本体側電気ケーブル１９１が自重で垂れ下がってしまうことなどを防ぐことができる。また、パネル側電気ケーブル１９０および本体側電気ケーブル１９１において、収納体１８０に収納される側のケーブル部分にストッパを取り付けておくことで、電気ケーブルが収納体１８０の外側から引っ張られても、ストッパが爪１８４に引っかかって電気ケーブルが引き出される動きを止めることができる。そして、外部からの引っ張りに係る力がケーブル接続部１９４に及ばないようにすることができる。このため、電気ケーブルを保護することができる。
【００２８】
本実施の形態における室内機１００では、ネジ１８６により蓋１８２をドレンパン１４０などにネジ止めして、収納ケース１８１の開口部分を蓋１８２で閉じるようにしている。蓋１８２には、スライド移動により、蓋１８２からネジ１８６の頭部分の掛かりを外すことができるように、一部を切り欠いて、ネジ１８６が通過する空間を開放しているネジ穴１８７が形成されている。また、本実施の形態の収納ケース１８１は、引っ掛け部１８５を有している。そして、引っ掛け部１８５が蓋１８２を引っ掛けて、蓋１８２が収納ケース１８１から完全に外れないようにする。このため、蓋１８２を紛失することなどを防ぐことができる。
【００２９】
図１０はこの発明の実施の形態１に係る蓋１８２を開ける手順を示す図である。通常は蓋１８２が閉じた状態である（図１０（ａ））。蓋１８２を開ける際には、蓋１８２を止めているネジ１８６を緩める。そして、蓋１８２がネジ１８６の頭から外れるように蓋１８２をスライド移動させる（図１０（ｂ））。そして、蓋１８２を開く（図１０（ｃ））。ネジ１８６を緩めるなどして、蓋１８２を開けることができるので、ネジ１８６を完全に外さなくてもよく、ネジ１８６を紛失することなどを防ぐことができる。
【００３０】
また、図８に示すように、本実施の形態の収納体１８０は、ケーブル接続部１９４だけではなく、空調対象空間から筐体１２０内に流入する空気の温度（室内温度）を検出する吸い込みセンサー１９５を収納する。ここで、電気ケーブルが吸い込みセンサー１９５の温度検出に影響しないように、収納ケース１８１内は、吸い込みセンサー１９５が収納される空間とケーブル接続部１９４が収納される空間とを分けている。そして、図９に示すように、収納ケース１８１および蓋１８２に、吸い込みセンサー１９５が収納される空間に、筐体１２０に流入する空気を通過させる通風孔（スリット）１８８を形成する。
【００３１】
以上のように、本実施の形態の室内機１００によれば、ケーブル接続部１９４の全面を収納する収納体１８０を、筐体１２０の下面側に露出するドレンパン１４０の下面側に設置するようにしたので、ケーブル接続部１９４が直接触れないようにし、また、ケーブル接続部１９４の保護をはかることができる。収納体１８０にケーブル接続部１９４を収納すればよいので、電気ケーブルの接続作業に係る工程を少なくし、施工を容易に行うことができる。
【００３２】
また、収納体１８０を収納ケース１８１と蓋１８２とで構成し、収納ケース１８１の引っ掛け部１８５に蓋１８２を引っ掛けるようにしたので、蓋１８２を完全に外すことなく作業を行うことができる。このため、部品の紛失などを防ぐことができる。さらに、蓋１８２をネジ１８６で固定することで、ケーブル接続部１９４の保護をはかることができる。
【００３３】
また、蓋１８２のネジ穴１８７に切り欠きを有するようにしたので、ネジ１８６を完全に外さなくても、蓋１８２をスライド移動させて、蓋１８２からネジ頭を外すことで、ネジ１８６の固定から解くことができる。また、収納ケース１８１が、電気ケーブルを引っ掛ける爪１８４を有するようにしたので、電気ケーブルの垂れ下がりを防ぐことができる。また、電気ケーブルにストッパを有する場合には、外部から電気ケーブルが引っ張られても、引っ張りによる動きを止め、ケーブル接続部１９４に負荷をかけずに保護することができる。また、収納体１８０を、難燃性の材質で構成することで、ケーブル接続部１９４の発火などに対応し、延焼を防止することができる。そして、吸い込みセンサー１９５を収納体１８０に収納するようにしたので、吸い込みセンサー１９５を保護するための収納体を別に設ける必要がない。
【００３４】
実施の形態２．
上述した実施の形態では、引っ掛け部１８５を有し、収納ケース１８１に蓋１８２を引っ掛けて蓋１８２に完全に外れないようにしたが、これに限定するものではない。たとえば、蝶番などで収納ケース１８１と蓋１８２とをつなげるようにしてもよい。また、ネジ１８６の代わりに留め金（ストッパ）などで蓋１８２を係止するようにしてもよい。
【００３５】
実施の形態３．
図１１はこの発明の実施の形態３に係る空気調和装置の構成例を表す図である。ここで、図１１では空気調和装置を冷凍サイクル装置の例として示している。図１１において、他の図などにおいて説明したものについては、同様の動作を行うものとする。図１１の空気調和装置は、室外機（室外ユニット）２００と室内機（室内ユニット）１００とをガス冷媒配管３００、液冷媒配管４００により配管接続する。室外機２００は、圧縮機２１０、四方弁２２０、室外熱交換器２３０および膨張弁２４０を有している。
【００３６】
圧縮機２１０は、吸入した冷媒を圧縮して吐出する。ここで、特に限定するものではないが、圧縮機２１０はたとえばインバータ回路などにより、運転周波数を任意に変化させることにより、圧縮機２１０の容量（単位時間あたりの冷媒を送り出す量）を変化させることができるようにしてもよい。四方弁２２０は、たとえば冷房運転時と暖房運転時とによって冷媒の流れを切り換える弁である。
【００３７】
本実施の形態における室外熱交換器２３０は、冷媒と空気（室外の空気）との熱交換を行う。たとえば、暖房運転時においては蒸発器として機能し、冷媒を蒸発させ、気化させる。また、冷房運転時においては凝縮器として機能し、冷媒を凝縮して液化させる。
【００３８】
絞り装置（流量制御手段）などの膨張弁２４０は冷媒を減圧して膨張させる。たとえば電子式膨張弁などで構成した場合には、制御装置（図示せず）などの指示に基づいて開度調整を行う。室内熱交換器１１０は、たとえば空調対象となる空気と冷媒との熱交換を行う。暖房運転時においては凝縮器として機能し、冷媒を凝縮して液化させる。また、冷房運転時においては蒸発器として機能し、冷媒を蒸発させ、気化させる。
【００３９】
最初に、冷凍サイクル装置における冷房運転について冷媒の流れに基づいて説明する。冷房運転においては、実線で示す接続関係となるように四方弁２２０を切り替える。圧縮機２１０により圧縮されて吐出した高温、高圧のガス冷媒は、四方弁２２０を通過し、室外熱交換器２３０に流入する。そして、室外熱交換器２３０内を通過して、室外の空気と熱交換することで凝縮、液化した冷媒（液冷媒）は、膨張弁２４０へ流入する。膨張弁２４０で減圧されて気液二相状態となった冷媒は室外機２００から流出する。
【００４０】
室外機２００を流出した気液二相冷媒は、液冷媒配管４００を通過して室内機１００に流入する。そして、ディストリビュータおよび流量調整用毛細管（図示せず）により分配され、室内熱交換器１１０に流入する。前述したように室内熱交換器１１０を通過して、たとえば空調対象の空気と熱交換することで蒸発、ガス化した冷媒（ガス冷媒）は、室内機１００から流出する。
【００４１】
室内機１００から流出したガス冷媒はガス冷媒配管３００を通過して室外機２００に流入する。そして、四方弁２２０を通過して再度圧縮機２１０に吸入される。以上のようにして空気調和装置の冷媒が循環し、空気調和（冷房）を行う。
【００４２】
次に暖房運転について冷媒の流れに基づいて説明する。暖房運転においては、点線で示す接続関係となるように四方弁２２０を切り替える。圧縮機２１０により圧縮されて吐出した高温、高圧のガス冷媒は、四方弁２２０を通過して室外機２００から流出する。室外機２００を流出したガス冷媒は、ガス冷媒配管３００を通過して室内機１００に流入する。
【００４３】
室内熱交換器１１０を通過して、たとえば空調対象の空気と熱交換することで凝縮、液化した冷媒は、ディストリビュータおよび流量調整用毛細管（図示せず）とを通過して室内機１００から流出する。
【００４４】
室内機１００から流出した冷媒は液冷媒配管４００を通過して室外機２００に流入する。そして、膨張弁２４０で減圧されて気液二相状態となった冷媒は室外熱交換器２３０に流入する。そして、室外熱交換器２３０内を通過して、室外の空気と熱交換することで蒸発、ガス化した冷媒（液冷媒）は、四方弁２２０を通過して再度圧縮機２１０に吸入される。以上のようにして空気調和装置の冷媒が循環し、空気調和（暖房）を行う。
【００４５】
以上のように、本実施の形態の空気調和装置（冷凍サイクル装置）においては、上述の室内機１００を用いて構成することで、ユニット性能が安定した空気調和装置を得ることができる。
【産業上の利用可能性】
【００４６】
上述の実施の形態では、室内機１００は４つの吹き出し口１３２と吹き出しベーン１５０とを有し、四方向の空気を吹き出す四方向カセット型の室内機であるものとして説明したが、これに限定するものではない。たとえば、二方向、三方向の空気の流れに対応する、他の天井埋め込み型の室内機についても適用することができる。また、天井埋め込み型の室内機に限らず、他の型式の室内機にも適用することができる。また、遠心ファン以外のファンについても適用することができる。【００４７】
また、上述の実施の形態では、冷凍サイクル装置の例として空気調和装置について説明したが、これに限定するものではない。たとえば除湿器など、他の冷凍サイクル装置にも適用することができる。また、冷凍サイクル装置だけでなく、送風機、換気装置などにも適用することができる。
【符号の説明】
【００４８】
１００  室内機、１０１  電気品箱、１１０  室内熱交換器、１２０  筐体、１２３  本体空気吸い込み口、１２４  本体吹き出し口、１３０  化粧パネル、１３１  グリル、１３２  吹き出し口、１４０  ドレンパン、１５０  吹き出しベーン、１５１  ベーン用回転モータ、１５２  赤外線センサー、１６０  ベルマウス、１７０  ターボファン、１８０  収納体、１８１  収納ケース、１８２  蓋、１８３  電気ケーブル収納口、１８４  爪、１８５  引っ掛け部、１８６  ネジ、１８７  ネジ穴、１８８  通風孔、１９０  パネル側電気ケーブル、１９１  本体側電気ケーブル、１９２  パネル側接続端子、１９３  本体側接続端子、１９４  ケーブル接続部、１９５  吸い込みセンサー、２００  室外機、２１０  圧縮機、２２０  四方弁、２３０  室外熱交換器、２４０  膨張弁、３００  ガス冷媒配管、４００  液冷媒配管。
【図１】
2017002237.tif 000003
【図２】
2017002237.tif 000004
【図３】
2017002237.tif 000005
【図４】
2017002237.tif 000006
【図５】
2017002237.tif 000007
【図６】
2017002237.tif 000008
【図７】
2017002237.tif 000009
【図８】
2017002237.tif 000010
【図９】
2017002237.tif 000011
【図１０】
2017002237.tif 000012
【図１１】
2017002237.tif 000013
【国際調査報告】
2017002237.tif 000014
2017002237.tif 000015
2017002237.tif 000016
2017002237.tif 000017